(57)【要約】【課題】本体上部に設けた貯水タンクへの送水が漏れなく行えるようにする。【解決手段】吸湿材１、室内空気２を吸湿材１に通して室内に戻し除湿を行う除湿ファン３、再生空気４を加熱して吸湿材１に通し再生させる再生ヒータ５および再生ファン６、吸湿材１に通され再生ヒータ５側に戻される途中の再生空気４との熱交換器７、熱交換器７で再生空気４から分離した除湿水の水受け８、水受け８の除湿水を着脱できる貯水タンク９に送り込む貯水ポンプ１１とを、本体１２に備え、貯水ポンプ１１から貯水タンク９への送水経路２６の途中に貯水タンク９の着脱に伴い、送水経路２６の接続、接続解除を行う接続部２０を設け、この接続部２０の下流側に貯水タンク９へ送られてくる除湿水を一旦受け入れて溜めながら出す中継部１０を設けることにより、上記目的を達成する。【選択図】  図１
2004278952.tif 000002
【特許請求の範囲】
【請求項１】
繰り返し移動する吸湿材と、室内空気を前記吸湿材に通した後に室内に戻して室内の除湿を行う除湿ファンと、空気を加熱して前記吸湿材に通して除湿水を奪い再生させることを繰り返す再生ヒータおよび再生ファンと、前記吸湿材に通され除湿水を奪い再生ヒータ側に戻される途中の吸湿空気を熱交換して除湿水を分離する熱交換器と、熱交換器によって分離した除湿水を受ける水受けと、水受けの除湿水を着脱できる貯水タンクに送り込んで貯水する貯水ポンプとを、本体に備え、
貯水タンクは本体の上部に設け、貯水ポンプから貯水タンクへの送水経路の途中に貯水タンクへ送られてくる除湿水を一旦受け入れて溜めながら出す中継部を設けたことを特徴とする除湿機。
【請求項２】
繰り返し移動する吸湿材と、室内空気を前記吸湿材に通した後に室内に戻して室内の除湿を行う除湿ファンと、空気を加熱して前記吸湿材に通して除湿水を奪い再生させることを繰り返す再生ヒータおよび再生ファンと、前記吸湿材に通され除湿水を奪い再生ヒータ側に戻される途中の吸湿空気を熱交換して除湿水を分離する熱交換器と、熱交換器によって分離した除湿水を受ける水受けと、水受けの除湿水を着脱できる貯水タンクに送り込んで貯水する貯水ポンプとを、本体に備え、
貯水タンクは本体の上部に設け、貯水ポンプから貯水タンクへの送水経路の途中に貯水タンクの着脱に伴い、送水経路の接続、接続解除を行う接続部を設け、この接続部の下流側に貯水タンクへ送られてくる除湿水を一旦受け入れて溜めながら出す中継部を設けたことを特徴とする除湿機。
【請求項３】
接続部は、上流側経路と下流側経路とのシールパッキンを介した雌雄嵌まり合い部である請求項２に記載の除湿機。
【請求項４】
貯水タンクは本体に対し上方から装着し、中継部は貯水タンクに設け、接続部は、中継部の貯水タンクからの張り出し部と、本体の上面との、上下方向の対向部間に設けられている請求項２、３のいずれか１項に記載の除湿機。
【請求項５】
中継部は上部に通気部を有している請求項２〜４のいずれか１項に記載の除湿機。
【請求項６】
中継部は貯水タンクへ送られてくる除湿水を受け入れる流入口または送水口の開口径よりも、貯水タンクへの出口の開口径の方が大きい請求項４、５のいずれか１項に記載の除湿機。
【請求項７】
繰り返し移動する吸湿材と、室内空気を前記吸湿材に通した後に室内に戻して室内の除湿を行う除湿ファンと、空気を加熱して前記吸湿材に通して除湿水を奪い再生させることを繰り返す再生ヒータおよび再生ファンと、前記吸湿材に通され除湿水を奪い再生ヒータ側に戻される途中の吸湿空気を熱交換して除湿水を分離する熱交換器と、熱交換器によって分離した除湿水を受ける水受けと、水受けの除湿水を着脱できる貯水タンクに送り込んで貯水する貯水ポンプとを、本体に備え、
貯水タンクは本体の上部に設け、貯水ポンプから貯水タンクへの送水経路の途中に貯水タンクの着脱に伴い、シールパッキンを介した突合せにて送水経路の接続、接続解除を行う接続部を設け、この接続部の下流側に貯水タンクへ送られてくる除湿水を一旦受け入れて貯水タンク内へ出す中継部を設けたことを特徴とする除湿機。
【請求項８】
中継部は、貯水タンクの上部に設けた中継室内に設けてある請求項１〜７のいずれか１項に記載の除湿機。
【発明の詳細な説明】
【０００１】
【発明の属する技術分野】
本発明は小さく、重量も軽い、繰り返し移動する吸湿材を備えた軽量かつコンパクトな除湿機に関し、詳しくは、ファンにより室内空気を吸湿材に通して室内に戻し室内を除湿しながら、加熱した空気を吸湿部に通して吸湿材の水分を奪って再生を図りながら、吸湿材から水分を奪った吸湿空気から熱交換器により水を分離して回収し貯水するようにした除湿機に関するものである。
【０００２】
【従来の技術】
この種の除湿機で、本体の後部スペースに貯水タンクを、本体の上部開口を通じ出し入れできるように収容し、本体内において、熱交換器により分離した除湿水を本体底部の水受けにより受けながら、この水受けに受けた除湿水を貯水ポンプによって貯水タンクに向け送水し、貯水タンクの上部開口から送り込むようにしたものが知られている（例えば、特許文献１、２参照。）。
【０００３】
このようなものでは、水受け、貯水ポンプ、貯水タンクの組み合わせから、熱交換器にて吸湿空気から分離される水を、熱交換器の近傍に小さく邪魔なく位置する水受けによって伝い落ちや自然流下を利用して集水しながら、貯水ポンプによる貯水タンクへの送り込む強制的な送水によって、本体とほぼ等しい高さの貯水タンクに送り込めるようになっている。
【０００４】
【特許文献１】
特開平１１−３００１４２号公報
【０００５】
【特許文献２】
特開平１１−３３３２４１号公報
【０００６】
【発明が解決しようとする課題】
ところで、除湿には除湿水の生成が伴う。しかし、上記したものを含む従来の除湿機はその除湿方式の如何にかかわりなく、ユーザーにとって除湿の実効を実感しにくく、性能を評価できないことから、使用しながらも機能に不信や不安を抱いたり、使用をためらう原因になっている。
【０００７】
例えば、特許文献１、２に記載のものの水受けおよび貯水タンクは、共に本体内にあってそこに受けられ、また送り込まれる除湿水を外観することはできない。従って、除湿機の働きがわからない。また、貯水タンクは本体内のどの位置にも設けられるものでありながら、最後部に配置されているので、ここへの除湿水の送り込みや貯水状態も外観できない。また、貯水タンクが満杯になったようなときに、本体の後部内スペースに深く収容された貯水タンクを一旦取り出してから排水位置まで持ち運び排水したりする必要があるので、日常的に手間の掛かるものとなる。
【０００８】
これらのことに関連して、本発明者は、本体の上部に貯水タンクを設けて対応することを先に提案した。しかし、貯水タンクでの貯水が貯水ポンプからの強制送水によるために、貯水タンクが本体の上部に位置して送水経路が長く送水圧が高まることも相まって、漏水しやすい。貯水タンクの着脱に伴い接続、接続解除を行うような接続部ではなおさらである。
【０００９】
本発明の目的は、本体の上部に設けた貯水タンクへの送水が漏れなく行なえるようにした除湿機を提供することにある。
【００１０】
【課題を解決するための手段】
上記のような目的を達成するために、本発明の除湿機は、繰り返し移動する吸湿材と、室内空気を前記吸湿材に通した後に室内に戻して室内の除湿を行う除湿ファンと、空気を加熱して前記吸湿材に通して除湿水を奪い再生させることを繰り返す再生ヒータおよび再生ファンと、前記吸湿材に通され除湿水を奪い再生ヒータ側に戻される途中の吸湿空気を熱交換して除湿水を分離する熱交換器と、熱交換器によって分離した除湿水を受ける水受けと、水受けの除湿水を着脱できる貯水タンクに送り込んで貯水する貯水ポンプとを、本体に備え、
貯水タンクは本体の上部に設け、貯水ポンプから貯水タンクへの送水経路の途中に貯水タンクへ送られてくる除湿水を一旦受け入れて溜めながら出す中継部を設けたことを１つの特徴としている。
【００１１】
このような構成では、本体側に備えた、吸湿材、除湿ファン、再生ヒータ、再生ファン、熱交換器の組み合わせにより、室内空気を吸湿材にて除湿することを繰り返しながら、室内空気から吸湿して除湿を繰り返す吸湿材につき加熱した空気を通すことによって除湿水を奪い再生を図って前記室内空気に対する吸湿機能を保証しつつ、吸湿材から除湿水を奪った吸湿空気から熱交換器との熱交換によって除湿水を分離することを継続して、圧縮機を用いるタイプのものよりも小型かつ軽量なものにて除湿機能を満足することができる。また、吸湿材を再生した後の吸湿空気から分離した除湿水は、同じく本体側に備えた水受けで受けることにより広域に拡がらせないで貯水ポンプによる貯水タンクへの送り込みと貯水に供して、本体の必要スペースを最小限に抑えて満杯回避により長時間の除湿を可能としながら、分離した除湿水が蒸発、逸散して室内を却って加湿してしまうような不都合を防止することができる。
【００１２】
また、貯水タンクは本体の上部にあって、前記のように水受けに集められる除湿水の送り込みを受けて貯水し、これが外観され得るので、ユーザーによって除湿が実感され、評価されやすくする。同時に、貯水タンクに関し排水したり、洗浄などの手入れをしたりするのに、貯水タンクが本体外の上部に位置しているので簡単に取り外して対応することができる。
【００１３】
特に、貯水ポンプから貯水タンクへの送水経路の途中に設けられた中継部は、貯水タンクへ送られてくる除湿水を一旦受け入れて溜めながら出す広さを有することから、ここで、送水経路を通じた強制送水の圧力を開放ないしは低減させるので、送水経路が長く送水圧が高くても接続部などから漏水するのを防止することができる。
【００１４】
本発明の除湿機は、また、繰り返し移動する吸湿材と、室内空気を前記吸湿材に通した後に室内に戻して室内の除湿を行う除湿ファンと、空気を加熱して前記吸湿材に通して除湿水を奪い再生させることを繰り返す再生ヒータおよび再生ファンと、前記吸湿材に通され除湿水を奪い再生ヒータ側に戻される途中の吸湿空気を熱交換して除湿水を分離する熱交換器と、熱交換器によって分離した除湿水を受ける水受けと、水受けの除湿水を着脱できる貯水タンクに送り込んで貯水する貯水ポンプとを、本体に備え、貯水タンクは本体の上部に設け、貯水ポンプから貯水タンクへの送水経路の途中に貯水タンクの着脱に伴い、送水経路の接続、接続解除を行う接続部を設け、この接続部の下流側に貯水タンクへ送られてくる除湿水を一旦受け入れて溜めながら出す中継部を設けたことを別の特徴としている。
【００１５】
このような構成では、本体側に備えた、吸湿材、除湿ファン、再生ヒータ、再生ファン、熱交換器の組み合わせにより、室内空気を吸湿材にて除湿することを繰り返しながら、室内空気から吸湿して除湿を繰り返す吸湿材につき加熱した空気を通すことによって除湿水を奪い再生を図って前記室内空気に対する吸湿機能を保証しつつ、吸湿材から除湿水を奪った吸湿空気から熱交換器との熱交換によって除湿水を分離することを継続して、圧縮機を用いるタイプのものよりも小型かつ軽量なものにて除湿機能を満足することができる。また、吸湿材を再生した後の吸湿空気から分離した除湿水は、同じく本体側に備えた水受けで受けることにより広域に拡がらせないで貯水ポンプによる貯水タンクへの送り込みと貯水に供して、本体の必要スペースを最小限に抑えて満杯回避により長時間の除湿を可能としながら、分離した除湿水が蒸発、逸散して室内を却って加湿してしまうような不都合を防止することができる。
【００１６】
また、貯水タンクは本体の上部にあって、前記のように水受けに集められる除湿水の送り込みを受けて貯水し、これが外観され得るので、ユーザーによって除湿が実感され、評価されやすくする。同時に、貯水タンクに関し排水したり、洗浄などの手入れをしたりするのに、貯水タンクが本体外の上部に位置しているので簡単に取り外して対応することができる。
【００１７】
特に、貯水ポンプから貯水タンクへの送水経路の途中に貯水タンクの着脱に伴い、送水経路の接続、接続解除を行う接続部を設けているので、貯水タンクの着脱が強制送水の邪魔にならず簡単に行えるし、この接続部の下流側に中継部があって貯水タンクへ送られてくる除湿水を一旦受け入れて溜めながら出す広さを有することから、ここで、送水経路を通じた強制送水の圧力を開放ないしは軽減させるので、送水経路が長く送水圧が高くても、前記貯水タンクの着脱に伴い接続、接続解除を行う接続部に対しては、そこに達する除湿水の圧力を予め開放または低減しているため漏水するのを防止することができる。
【００１８】
接続部が、上流側経路と下流側経路とのシールパッキンを介した雌雄嵌まり合い部である、さらなる構成では、
シールパッキンを介した雌雄嵌まり合い部は、その軸線方向を貯水タンクの着脱方向と一致させ、または平行とすることにより、貯水タンクの着脱に伴って自動的に接続、接続解除となるので、手間がかからず使用に便利である。また、貯水タンクの装着度合に多少があっても、雌雄嵌まり合い部の嵌まり合い代を大きくしておけば接続不足になるようなことを回避することができる。
【００１９】
貯水タンクは本体に対し上方から装着し、中継部は貯水タンクに設け、接続部は、中継部の貯水タンクからの張り出し部と、本体の上面との、上下方向の対向部間に設けられている、さらなる構成では、
貯水タンクを上方から本体上に装着したり取り外したりできるので、作業がしやすい上に、この着脱によって、貯水タンクに設けた中継部の張り出し部と、本体の上面との上下方向の対向部間に設けた接続部の離接を図って、接続、接続解除を自動的に行えるので、さらに使用しやすく便利である。また、接続状態の接続部は中継部の張り出し部と、本体の上面との上下方向の対向部間にあって外力を受けにくく、貯水タンクの装着状態で接続を損なわれるようなことがない。
【００２０】
中継部が上部に通気部を有している、さらなる構成では、
中継部が一旦受け入れた除湿水を溜めながら出すのに、上部の通気部から吸気することによって溜めている除湿水を自然流下させられるので、それ以降の送水経路を配慮するだけで送水圧なしに貯水タンクなどへ送り込める。
【００２１】
中継部が貯水タンクへ送られてくる除湿水を受け入れる流入口または送水口の開口径よりも、貯水タンクへの出口の開口径の方が大きい、さらなる構成では、
出口の開口径が流入口または送水口の開口径よりも大きい分だけ、給水タンクへの自然流下を促進して、中継部の除湿水が増量して満杯となりかえって昇圧し漏水の原因となるようなことを防止することができる。
【００２２】
本発明の除湿機は、また、繰り返し移動する吸湿材と、室内空気を前記吸湿材に通した後に室内に戻して室内の除湿を行う除湿ファンと、空気を加熱して前記吸湿材に通して除湿水を奪い再生させることを繰り返す再生ヒータおよび再生ファンと、前記吸湿材に通され除湿水を奪い再生ヒータ側に戻される途中の吸湿空気を熱交換して除湿水を分離する熱交換器と、熱交換器によって分離した除湿水を受ける水受けと、水受けの除湿水を着脱できる貯水タンクに送り込んで貯水する貯水ポンプとを、本体に備え、貯水タンクは本体の上部に設け、貯水ポンプから貯水タンクへの送水経路の途中に貯水タンクの着脱に伴い、シールパッキンを介した突合せにて送水経路の接続、接続解除を行う接続部を設け、この接続部の下流側に貯水タンクへ送られてくる除湿水を一旦受け入れて貯水タンク内へ出す中継部を設けたことを今１つの特徴としている。
【００２３】
このような構成では、本体側に備えた、吸湿材、除湿ファン、再生ヒータ、再生ファン、熱交換器の組み合わせにより、室内空気を吸湿材にて除湿することを繰り返しながら、室内空気から吸湿して除湿を繰り返す吸湿材につき加熱した空気を通すことによって除湿水を奪い再生を図って前記室内空気に対する吸湿機能を保証しつつ、吸湿材から除湿水を奪った吸湿空気から熱交換器との熱交換によって除湿水を分離することを継続して、圧縮機を用いるタイプのものよりも小型かつ軽量なものにて除湿機能を満足することができる。また、吸湿材を再生した後の吸湿空気から分離した除湿水は、同じく本体側に備えた水受けで受けることにより広域に拡がらせないで貯水ポンプによる貯水タンクへの送り込みと貯水に供して、本体の必要スペースを最小限に抑えて満杯回避により長時間の除湿を可能としながら、分離した除湿水が蒸発、逸散して室内を却って加湿してしまうような不都合を防止することができる。
【００２４】
また、貯水タンクは本体の上部にあって、前記のように水受けに集められる除湿水の送り込みを受けて貯水し、これが外観され得るので、ユーザーによって除湿が実感され、評価されやすくする。同時に、貯水タンクに関し排水したり、洗浄などの手入れをしたりするのに、貯水タンクが本体外の上部に位置しているので簡単に取り外して対応することができる。
【００２５】
特に、貯水ポンプから貯水タンクへの送水経路の途中に貯水タンクの着脱に伴い送水経路の接続、接続解除を行う接続部を設けているので、貯水タンクの着脱が強制送水の邪魔にならず簡単に行えるし、この接続部がシールパッキンを介した突合せにて行うものであることにより、貯水タンクの重みやばね付勢などによる十分な突合せ圧を確保しやすく、中継部は本体側から送水されてくる除湿水を受け入れて、溜めることなくそのまま給水タンクに送り込んでも、強制送水による送水圧が原因した漏水が接続部にて生じるのを防止することができる。また、接続に嵌め合わせがないので貯水タンクの装着位置の誤差が影響しにくい。
【００２６】
中継部を、貯水タンクの上部に設けた中継室内に設けてある、さらなる構成では、中継部が本体側から送水される除湿水を本体の上部に装着した貯水タンクに導く送水経路を構成するのに、貯水タンクの取り扱いによって引っ掛かったり、他と緩衝して外力を受けたりするようなことから保護できるし、そのような送水経路のディテール部分が外観されないし、汚れにくい利点がある。
【００２７】
本発明のそれ以上の目的および特徴は、以下の詳細な説明および図面の記載によって明らかになる。本発明の各特徴はそれ単独で、あるいは可能な限り種々な組み合わせで複合して採用することができる。
【００２８】
【実施例】
以下、本発明に係る除湿機につき、幾つかの例とともに、図１〜図１９を参照しながら詳細に説明し、本発明の理解に供する。以下の説明は、本発明の具体例を示すものであり、特許請求の範囲の記載内容を限定するものではない。
【００２９】
本実施例の除湿機につき図１〜図１７に示す例で代表して説明すると、図１、図２に示すように、繰り返し移動する吸湿材１と、室内空気２を前記吸湿材１に通した後に室内に戻して室内の除湿を行う除湿ファン３と、再生用の再生空気４を加熱して前記吸湿材１に通し除湿水を奪い再生させることを繰り返す再生ヒータ５および再生ファン６と、前記吸湿材１に通され除湿水を奪い再生ヒータ５側に戻される途中の吸湿した吸湿空気４ａと熱交換して除湿水を分離する熱交換器７と、熱交換器７によって分離した除湿水を受ける水受け８と、水受け８の除湿水を着脱できる貯水タンク９に送り込んで貯水する貯水ポンプ１１とを、本体１２に、例えば内部機器１６などとして備え、貯水タンク９は本体１２に着脱できるように装着される。
【００３０】
これにより、本体１２側に備えた、吸湿材１、除湿ファン３、再生ヒータ５、再生ファン６、熱交換器７の組み合わせにより、室内空気２を吸湿材１にて除湿することを繰り返しながら、室内空気２から吸湿して除湿を繰り返す吸湿材１につき加熱した再生空気４を通すことによって除湿水を奪い再生を図って前記室内空気２に対する吸湿機能を保証しつつ、吸湿材１から除湿水を奪って吸湿した再生空気４から熱交換器７との熱交換によって除湿水を分離することを継続して、圧縮機を用いるタイプのものよりも小型かつ軽量なものにて除湿機能を満足することができる。また、吸湿材１を再生した後の吸湿した吸湿空気４ａから分離した除湿水は、同じく本体１２側に備えた水受け８で受けることにより広域に拡がらせないで貯水ポンプ１１による貯水タンク９への送り込みと貯水に供して、本体１２の必要スペースを最小限に抑えて満杯回避により長時間の除湿を可能としながら、分離した除湿水が蒸発、逸散して室内を却って加湿してしまうような不都合を防止することができる。
【００３１】
また、貯水タンク９は図１、図３、図５に示すように本体１２の上部に着脱できるように設けてあって、前記のように水受け８に集められる除湿水の送り込みを受けて貯水し、これが外観され得るので、ユーザーによって除湿が実感され、評価されやすくする。同時に、貯水タンク９に関し排水したり、洗浄などの手入れをしたりするのに、貯水タンク９が本体１２外の上部に位置しているので簡単に取り外して対応することができる。
【００３２】
特に、貯水ポンプ１１から貯水タンク９への図１、図１１、図１２に示すような送水経路２６の途中に貯水タンク９へ送られてくる除湿水を一旦受け入れて溜めながら出す図１、図１７に示すような中継部１０を設けてある。これにより、貯水ポンプ１１から貯水タンク９への送水経路２６の途中に設けられた中継部１０は、貯水タンク９へ送られてくる除湿水を一旦受け入れて溜めながら出す広さを有することから、ここで、送水経路２６を通じた強制送水の圧力を開放ないしは低減させるので、送水経路２６が長く送水圧が高くても接続部などから漏水するのを防止することができる。
【００３３】
また、貯水タンク９は図１、図３、図５、図７に示すように本体１２の上部の前面側にあることによって、本体１２のユーザーに近い前部まわりからより外観されやすくすることができる。しかも、本体１２に設ける貯水タンク９の形状および大きさを本体１２側の内部機器１６の配置による余剰スペースに対応させることにより、無駄なスペースができたり、不自然な窪みや飛び出しをなくして貯水タンク９を設けたりすることができる。
【００３４】
もっとも、これには貯水タンク９が無色または有色の透明、半透明か、乳白色などの不透明でも内部の貯水やそのレベルの影が外面に反映して外部から確認できるか、あるいは、部分的にでもそのような貯水やそのレベルを確認できる貯水点検部があればよい。このような貯水タンク９やその部分は硝子や合成樹脂によって得られるが、軽量性、破損性の面にて合成樹脂製とするのが好適である。本体１２は前記のような多種多様な機器を装備するもので、耐久性上や耐熱性上からその全体または一部を金属製とすることができるが、これに限られることはなくその一部または全体を合成樹脂製とすることができる。また、合成樹脂製でも耐熱樹脂材料によって必要に応じ耐熱性は得られる。
【００３５】
本例の送水経路２６はパイプ経路よりなり、その貯水ポンプ１１と貯水タンク９との間の途中に、貯水タンク９の着脱に伴い、送水経路２６の接続、接続解除を行う図１、図１７に示すような接続部２０を設けてある。また、この接続部２０の下流側に前記中継部１０を設けてある。このように、貯水ポンプ１１から貯水タンク９への送水経路２６の途中に貯水タンク９の着脱に伴い、送水経路２６の接続、接続解除を行う接続部２０を設けているので、貯水タンク９の着脱が前記貯水ポンプ１１と送水経路２６とによる強制送水の邪魔にならず簡単に行える。同時に、この接続部２０の下流側に中継部１０があって貯水タンク９へ送られてくる除湿水を一旦受け入れて溜めながら出す広さを有することから、ここで、送水経路２６を通じた強制送水の圧力を開放ないしは軽減させるので、送水経路２６が長く送水圧が高くても、貯水タンク９の着脱に伴い接続、接続解除を行う接続部２０に対しては、そこに達する除湿水の圧力を予め開放または低減しているため漏水するのを防止することができる。
【００３６】
また、接続部２０は、図１７に示すように上流側経路２６ａと下流側経路２６ｂとのシールパッキン３０を介した雌雄嵌まり合い部で構成している。このようなシールパッキン３０を介した雌雄嵌まり合い部は、その軸線Ｘの方向を貯水タンク９の着脱方向、従って本例では上下方向と一致させ、または平行とすることにより、貯水タンク９の着脱に伴って自動的に接続、接続解除となるので、手間がかからず使用に便利である。また、貯水タンク９の本体１２への装着度合や、相互寸法に多少の過不足があっても、雌雄嵌まり合い部の嵌まり合い代Ｌを大きくしておけば接続不足になるようなことを回避することができる。しかし、この場合のシールパッキン３０は雌雄嵌合部の間で径方向の圧迫を受けてシールするものであるため、シール圧を増大すると雌雄嵌合部の嵌め合い抵抗が増大するので、送水経路２６の接続、接続解除がしにくくなる。そこで、シール圧は抑え気味にならざるを得ないが、前記中継部１０での圧力開放による漏水防止作用との組合せが特に好適となる。
【００３７】
また、中継部１０は図１、図１７に示すように貯水タンク９に設け、接続部２０は、中継部１０の貯水タンク９からの図１、図５、図８〜図１０、図１７に示すような張り出し部１０ａと、本体１２の図１、図７、図１７に示すような一部上面１２ａとの、図１、図１７に示すような上下方向の対向部間に設けてある。これにより、貯水タンク９を上方から本体１２上に装着したり取り外したりする着脱によって、貯水タンク９に設けた中継部１０の張り出し部１０ａと、本体１２の一部上面１２ａとの上下方向の対向部間にある接続部２０の離接を図って、接続、接続解除を自動的に行えるので、さらに使用しやすく便利である。しかも、接続部２０は中継部１０の張り出し部１０ａと、本体１２の一部上面１２ａとの上下方向の対向部間に位置することにより、貯水タンク９を装着した状態では外力やいたずらなどで接続部２０の接続が損なわれるようなことはない。さらに、本体１２の一部上面１２ａは図１に示すように、本体１２の切り欠き状に設けた段部１５の立ち上がり面と本体１２の貯水タンク９の上面とほぼ面一な上面との間に小さな段部をなし、その段部内に前記中継部１０の張り出し部１０ａと本体１２の一部上面１２ａとの上下方向の対向部が位置するようにしている。これにより、前記接続部２０を持った接続構造部は全く外部に出ず外観がシンプルで、しかも、外力からさらに保護しやすいものとなる。
【００３８】
また、中継部１０は図１、図５、図１０、図１７に示すような皿型で、上方が開放した通気部１０ｂとなっている。通気部１０ｂが小さな孔である場合も含め、中継部１０が一旦受け入れた除湿水を溜めながら出すのに、上部の通気部１０ｂから吸気し、あるいは大気圧を受けて溜めている除湿水を自然流下させられるので、それ以降の下流側経路２６ｂの水勾配などを配慮するだけで送水圧なしに貯水タンク９などへ送り込める。
【００３９】
また、図１、図１７に示すように、中継部１０が貯水タンク９へ送られてくる除湿水を受け入れる流入口または送水口２６ｃの開口径よりも、貯水タンク９への出口２６ｄの開口径の方を大きくしてある。このように、出口２６ｄの開口径が流入口または送水口２６ｃの開口径よりも大きい分だけ、貯水タンク９への自然流下を促進して、中継部１０の除湿水が増量して満杯となり、かえって昇圧し漏水の原因となるようなことを防止することができる。
【００４０】
本例について、さらに詳述すると、前記貯水タンク９を本体１２の上部の前面側に設けるのに加え、さらに、底部が図１、図９に示すように上方に窪んだ窪み部１３を有したものとし、この窪み部１３が、本体１２の上部の前面側に図１、図７に示したような段部１５の外まわり段部１５ａに対し、印籠嵌め状態に嵌り合うようにしてある。このような嵌まり合いによって貯水タンク９と本体１２の段部１５との間の図１、図３に示すような割線１１２を、すっきりしたラインにすることができる。なお、前記印籠嵌め状態の嵌まり合いは、また、本体１２の段部１５上に装着するときのガイドとなるので、貯水タンク９が装着しやすくなるし、装着状態での貯水タンク９の左右振れを防止する働きをする。
【００４１】
これに併せ、貯水タンク９と段部１５の立ち上がり壁との間には上下方向にスライドできるように嵌まり合う図１に示す凹凸嵌合部１１１を設けてある。この凹凸嵌合部１１１は、図８〜図１０に示すような横断面翼型の異形凸条である凸嵌合部１１１ａと、図７に示すように前記凸嵌合部１１１ａの翼型の横断面に適合する横断面を持った凹条をなす凹嵌合部１１１ｂとで構成し、貯水タンク９を本体１２の段部１５に上方から載置して装着する際、凸嵌合部１１１ａを凹嵌合部１１１ｂに上方から嵌め合せていくことにより、貯水タンク９を平面視正確な位置合わせのもとに難なく装着することができ、貯水タンク９の左右および前方のいずれへの振れや倒れも防止することができる。これは、本体１２がどのような向きに傾けられても同じであり、凹凸嵌合部１１１が本体１２の幅方向のほぼ中央にやや幅広く位置していることも、貯水タンク９を本体１２に対して安定させる要因である。従って、前記印籠嵌め状態の嵌まり合い構造による貯水タンク９に対するガイド機能は省略でき、却って、凹凸嵌合部１１１による位置決めは、割線１１２部に貯水タンク９と段部１５との間の位置ズレなどを生じさせない位置規制をもなしている。なお、貯水タンク９の底部９ｂは図１に示すように前部に向け低くなっている。具体的にはほぼ１２°傾斜している。このため、貯水タンク９に送り込まれる除湿水は貯水タンク９の底部の前部側から溜まり始める。従って初期貯水状態が前側から確認しやすいし、初期貯水時の水位の増加を早めて除湿機能をより実感されやすくする。
【００４２】
特に、凹凸嵌合部１１１による位置決めは、貯水タンク９を本体１２に装着したときの前記接続部２０の接続位置にズレが生じるのを防止する位置決め機能を奏する。よって、貯水タンク９の装着位置にばらつきが生じて接続部２０での接続が位置ずれにより不足したり、甘くなるようなことを回避することができる。また、凹凸嵌合部１１１が少しでも嵌り合うと、以降はその嵌り合いの案内に従い貯水タンク９を段部１５などと当接するまで落ち着かせればよく、また、貯水タンク９の重みで落ち着くので、貯水タンク９に本体１２や段部１５に対し浮きが生じて接続部２０での接続が不足したり、甘くなったりすることもない。万一、貯水タンク９に浮きが生じるような場合でも、割線１１２に隙間ができたり、貯水タンク９の上面と本体１２の上面との間に段差ができたりするので、ユーザーに気付かせやすく、最終段階までの装着を促し装着が不適正なまま使用されて漏水が生じるようなことを防止できる。
【００４３】
なお、凹嵌合部１１１ｂは図１０、図１７に示すように、前記本体１２の一部上面１２ａにおける、上流側経路２６ａが突出して接続部２０をなしている部分１２ｂと共に一体形成して、段部１５の立ち上がり壁に当てがい螺子１２１により取り付けてある。また、凸嵌合部１１１ａは図１０、図１１に示すように前記矩形な中継部１０と鉤型に連続するように一体成形したものを貯水タンク９の背面に当てがって螺子１１３により後付けしてある。これにより、貯水タンク９はブロー成形などにて容易に形成することができるし、本体１２も通常の型成形が容易となる。しかも、凹凸嵌合部１１１に十分な位置決め強度を確保することができる。貯水タンク９の上部には図１、図５、図８、図９、図１７に示すような前記中継部１０を配置する凹部９ａを有し、この凹部９ａにカバー１１４を施して中継部１０を収容する中継室１１５を形成している。これにより、中継部１０が本体１２側から送水される除湿水を本体１２の上部に装着した貯水タンク９に導く送水経路２６を構成するのに、貯水タンク９の取り扱いによって引っ掛かったり、他と緩衝して外力を受けたりするようなことから保護できるし、そのような送水経路２６のディテール部分が外観されないし、汚れにくい利点がある。
【００４４】
なお、中継室１１５は貯水タンク９の上面と面一で、本体１２の上面とも面一になるようにしてある。また、この中継室１１５の上面の凹部１１５ａと前記凹部９ａとを利用して、貯水タンク９の取っ手１１６を起伏できるように収納して設けてあり、図１に示す軸１１７によって軸支し、図１の実線と仮想線との間で回動できるようにしてある。取っ手１１６は中継室１１５、貯水タンク９、本体１２の上面と面一である。従って、貯水タンク９の装着が甘いと、取っ手１１６が本体１２の上面から浮くので、それをユーザーに気付かせやすい。ここに、取っ手１１６と中継部１０およびそれをカバーする中継室１１５はそれぞれ上下に重なって住み分けし、貯水タンク９の上部に設けた１箇所の凹部９ａを利用してコンパクトに、また他の邪魔になるような飛び出しや凹凸なく設けられている。
【００４５】
また、貯水タンク９の背面の右上に図８〜図１０に示すような排水口１１８を設け螺子などによって着脱できるキャップ１１９により開閉できるようにしている。つまり、排水口１１８は貯水タンク９の中継部１０ないしは中継室１１５を避けた位置に設けると、中継部１０ないしは中継室１１５と互いに邪魔し合うことがない。特に、貯水タンク９の背面に設けておくと、貯水タンク９を本体１２に装着した状態で排水口１１８が外力を受けたり、いたずらされるのを防止することができる。
【００４６】
図示する例では、図１、図２に示すように、さらに、本体１２の貯水タンク９の下、つまり貯水タンク９を設ける設置部の下、図示する例では前記段部１５の下に、前側から順に、熱交換器７、回転する吸湿材１が位置し、吸湿材１の後ろの上下に再生ヒータ５および再生ファン６が位置して、再生空気４が再生ファン６から、再生ヒータ５、吸湿材１、熱交換器７に順次至って後、再生ファン６に戻る再生循環系２１をなし、これら再生ヒータ５および再生ファン６の後ろに除湿ファン３がその吸気口３ａを吸湿材１を介して本体１２の前面の吸気口２２に向け開口し、送風口３ｂを本体１２上部の排気口２３に繋がるようにして位置し、水受け８は熱交換器７の下部に位置して熱交換器７からの分離された除湿水を受け、貯水ポンプ１１は図１１、図１２に示すように水受け８から貯水タンク９に至る送水経路２６の基部に設けてある。図示する例では吸気口２２の内側に図１に示すようなフィルタ９３が設けられ、図１、図１１に示すように、ゼオライトなどの吸湿剤１ａを収容保持したケース１ｂにギヤ１ｃを設け、このギヤ１ｃにギヤドモータ７１に直結するなどしたピニオンギヤ７２を噛み合わせることによって所定の速度で回転駆動するようにしてある。
【００４７】
以上のような内部機器１６の配置により、吸湿材１が回転して繰り返し室内空気２の除湿とその後の再生を行うので、前記除湿のための室内空気２の図１に示す通過方向に厚みが向く扁平なものでよくなり、その前部に位置する熱交換器７とともに本体１２上部の前側に設けられる貯水タンク９の平面スペースを利用した下側に位置して、前後方向および上下方向に無駄なスペースなく設置できる。また、これら上部の貯水タンク９、その下部の熱交換器７および吸湿材１と、これらの後方に位置した再生ヒータ５および再生ファン６とで、互いが無駄に分散するようなことなく前記再生循環系２１を、これを収納する本体１２部分とともに例えば図１、図２に示すようにコンパクトに構成しながら、この再生循環系２１の後ろに本体１２の高さ一杯を利用した図１、図２に示すような十分な大きさの除湿ファン３を本体１２を特に大型化したりしないで設けて、十分な風量と、静かで人に風を感じさせない程度の低速吸気、および低速送風とを確保して、高い除湿機能を発揮することができる。しかし、広域の除湿には吸気および送風のうち少なくとも一方は除湿の必要な範囲まで及ぶ条件を満足する必要がある。
【００４８】
本体１２内は図１、図２に示すように除湿ファン３を収容した後部と、再生循環系２１を収容した前部とを合成樹脂製の仕切り壁７５によって仕切っている。仕切り壁７５は本体後部側に除湿モータ３ｅを取り付け、そのまわりに吸気口３ａを形成している。除湿モータ３ｅに直結した羽根車３ｃは後部側に位置して、仕切り壁７５に取り付けた図１、図２、図１５に示すような合成樹脂製のベルマウス３ｄで覆い除湿ファン３を構成している。また、本体１２の前部側には、さらに、吸湿材１側と熱交換器７側とを仕切る図１、図２、図１１に示すような合成樹脂製の仕切り壁７７を設けている。仕切り壁７７はその中央に吸湿材１を図１、図２に示す軸部７７ａによって回転できるように支持するとともに、前記ギヤドモータ７１を取り付け、吸湿材１を仕切り壁７７上で回転駆動するようにしている。
【００４９】
仕切り壁７５、７７間には除湿モータ３ｅのほか、前記再生ヒータ５および再生ファン６が位置している。再生ヒータ５は仕切り壁７７に取り付けた図１に示すような加熱部カバー７３の後部にある流入口７３ａ内に保持し、加熱部カバー７３が前部側に向け、上下左右にラッパ形に広がって形成する流出口７３ｂを吸湿材１の再生を図る範囲に対し隙間を持って対向させている。加熱部カバー７３の前記のようなラッパ形状は、小さな流入口７３ａにて再生ヒータ５と再生空気４との効率のよい接触とそれによる加熱を達成した後、十分に昇温した再生空気４を可能な限り吸湿材１のより広域に通風させて、効率のよい再生が図れるようにしている。加熱部カバー７３の後部には、再生ファン６からの再生空気４を再生ヒータ５に導いた後、吸湿材１を通過させる、図１、図１１に示すような再生カバー７４を設けてあり、加熱部カバー７３とともに仕切り壁７７に取り付けてある。再生カバー７４は図１に示すように加熱部カバー７３の全体を覆った状態で再生空気４を再生ヒータ５に送風するようにしてあり、加熱部からその後側まわりへの熱影響を防止する遮熱カバーにもなっている。
【００５０】
再生ファン６は羽根車６ａを収容したケーシング６ｂの吸引口６ｃが、図２に示すように仕切り壁７７に一体成形した、熱交換器７と再生ファン６との連絡路１０１であるダクト１０３における後部端に図示するように嵌め合わせるなどして接続してあり、ケーシング６ｂの吹き出し口６ｄを図１１に示すように再生カバー７４の導風口７４ａに接続してある。
【００５１】
ここで、再生ファン６から再生ヒータ５に至る経路、たとえば再生カバー７４は図１１に示すように、下部が低位部７４ｃに向かう傾斜部７４ｄを有し、温度差などにより万一にも結露水が生じたり、あるいは侵入することがあっても、それを低位部７４ｃに誘導し、結露水が再生循環系２１を循環して除湿効率を低下させたり、他に影響したりするのを防止することができる。このような結露水が極く少ないと低位部７４ｃに至る途中、または至ってから乾燥し発散されるようにすることができる。しかし、それが徐々に増量するような場合は、低位部７４ｃから図２、図３に示すような回収管路２１２を通じるなどして水受け８へ回収するようにもできる。他の部分で生じたり、溜まったりする結露水でも同様に取り扱える。
【００５２】
再生循環系２１における他の部分例えば、図２、図１４に示すダクト１０３においても、熱交換器７で分離できなかった水分が温度差などで結露することがあるので、この部分にも結露水を集める凹部１０２または及び溜まり部１０４を低位部に設けて、回収管路１０５によって水受け８へ回収するようにしてある。
【００５３】
要するに、再生循環系２１の結露水が溜まりやすい部分、溜まることがあると思われる部分、あるいは溜まるようにした部分に回収管路２１２を設けて水受け８への回収を図るのが好適である。
【００５４】
仕切り壁７７は、さらに、図１、図２に示すように、吸湿材１に対応する部分を前部側に開放して、再生ファン６によって吸引される室内空気２を吸湿材１に通風させる通風口７８と、吸湿材１の前部側で再生ヒータ５、吸湿材１を通過し、吸湿材１を再生させた後の吸湿空気４ａを受け入れる図１に示すような受入室７９を形成している。受入室７９はその後端が吸湿材１と隙間を持って対向して吸湿空気４ａを受入れ、前部には前記熱交換器７における導入口７ｃとの接続口８０を設けて受け入れた吸湿空気４ａを熱交換器７に送り込むようにしてある。熱交換器７の図２に示す排出口７ｄは図２に示すように連絡路１０１をなすダクト１０３の前端部に接続して、室内空気２との熱交換によって除湿水が分離され再生した再生空気４が再生ファン６によって吸引され、吸湿材１の再生に再度供されるようにしている。
【００５５】
本体１２の後部上面には図５に示す操作面２８と除湿ファン３からの排気口２３とを横に並ぶように併設している。排気口２３は本体１２の上面への矩形な開口を有し、軸６４により開閉できるように枢支した風向設定蓋６５を設け、操作面２８にて設定した風向状態になるように図示しないモータなどのアクチュエータにより駆動するようにしてある。風向設定は例えばほぼ鉛直な全開状態と、この全開状態から図１に実線で示す全閉状態と、これらの間の各中間開き状態と、全閉状態と全開状態との間を連続的に往復する風向連続変更状態とがある。
【００５６】
本体１２には、さらに、図１、図４〜図６に示すように、本体１２の側方から見て貯水タンク９と対角線上の位置となるコーナ部の左右両側にキャスタ３３を設けてある。これにより、本体１２を左右一対のキャスタ３３にて接地して引き回すのに、前記対角線が鉛直となる側に本体１２を後ろ側に倒すと、本体１２の貯水タンク９を含む重心をキャスタ３３上に位置させられるし、貯水タンク９での貯水量の違いでその時々で前記重心の位置が異なっても、本体１２の後ろ側への倒し角度を調節することによって重量を前後にバランスさせて難なく移動させられ、同一の居室内は勿論、居室間、居室と風呂場など場所を移して使用するような場合に便利である。風呂場ではそれ自体の除湿、乾燥はもとより、洗濯物の乾燥にも供することができる。
【００５７】
なお、本体１２の底部には使用状態に接地する座部の１つの例として座脚３５を設けてあり、図１に示すようにキャスタ３３を接地面３６から少し浮かせて本体１２を接地するようにしてある。これにより、本体１２を使用状態に接地している状態ではキャスタ３３は接地せず本体１２の接地状態を不安定にするようなことはない。傾斜した接地面３６ａとの関係で示しているように、本体１２はある角度θ、例えば後部の座脚３５を基点にほぼ１５°後方に傾斜したときに接地し、それ以上の傾斜によって後方の座脚３５を接地面３６から浮かせて本体１２を座脚３５の邪魔なしにキャスタ３３だけで軽快に引き動かせる。
【００５８】
前記キャスタ３３を設けるのに併せ、本体１２の背面には図１、図２、図４、図５に示すように、上下方向に出し入れできる引き手３７を設けてある。図示する例の引き手３７は本体１２の背部に縦向きに設けた鞘部３９に出し入れできるように保持された左右一対の引き棒３７ａと、これら引き棒３７ａの上端に取り付けられたグリップ部３７ｂとで構成している。このような引き手３７は本体１２を前記のように後ろ側に倒して引き回すときの、本体１２の支え、角度調節、引き回しのそれぞれに共用して、容易かつ自在に移動できる。なお、貯水タンク９の上部には図示しない起伏できるように枢支した手提げハンドルを設けるのが好適である。
【００５９】
除湿ファン３は図１、図２、図１５に示すように、仕切り壁７５と、この仕切り壁７５に当てがって図２、図１５に示す螺子１２２により取り付け、羽根車３ｃのまわりを覆ったベルマウス３ｄとでケーシングを構成し、送風口３ｂが本体１２の排気口２３に繋がっている。ここで、ベルマウス３ｄは本体１２内の電装部と引き手３７を設ける部分とを絶縁性を有して区画する絶縁区画壁を共用しており、引き手３７のグリップ部３７ｂ、引き棒３７ａが金属製であっても使用の安全が図れる。また、除湿ファン３のケーシングを形成する一方の部材である仕切り壁７５は平坦であるのに対し、ベルマウス３ｄは羽根車３ｃのまわりを軸方向片側から覆うカップ形状をなした本体から送風口３ｂが排気口２３近くにまで延びる立体形状を有し、これの側には補強などを目的としてリブを設けず、滑らかな表面形状のものとする。これにより、成形が容易になる。また、本体１２の後壁における鞘部３９の間は内側に凹陥させたコード収納部３１３として図示しない電源コードを収納するスペースとすることができる。また、本体１２の壁に図示しないボスを設けてカバー壁３ｃをねじ止めなどすれば、本体１２の壁とカバー壁３ｃとによって引き手３７の格納部を形成し、前部の電装側と隔離することができる。
【００６０】
なお、水受け８には図１２、図１３に示すようなフロート式の満水位検出センサ９１を、貯水タンク９には図５に破線で示すようなフロート９２ａ、これに対応した本体１２側のリードセンサ９２ｂの組合せからなる満水位検出センサ９２を設け、少なくともいずれかが所定の満水位に達した場合に除湿機の運転を停止するようにしてある。これに対応して、本体１２の段部１５における外まわり段部１５ａの前面に、電源投入ランプ１３１、水受け満杯ランプ１３２、貯水タンク満杯ランプ１３３、排水を促す排水ランプ１３４などを設け、使用状態が貯水タンク９の前記窪み部１３によるスカート壁９ｃを通して確認できるようにしている。しかし、使用状態の表示の仕方は自由である。さらに、図５、図１５、図１６に示すように除湿ファン３の本体１２における偏った送風口３ｂおよび排気口２３の近傍にできるデッドスペース３１０を利用して、操作面２８に設ける操作回路基板３１１、電源回路基板３１２、およびハード回路３３３を、上下に、あるいは横に並べて設けてあり、図１６に示すようにそれぞれを合成樹脂製のボックス３３４にて仕切ってある。また、本体１２の背部壁の中央には引き手３７のグリップ部３７ｂの下面中央を下向きに開放するための凹部３１４を設けてあり、引き手３７を引き出しやすくしている。
【００６１】
図１８の例、図１９の例は、それぞれ、中継部１０、接続部２０、および中継室１１５以外の部分が、図１〜図１７の例と基本的に変わらないので、重複する図示および説明は省略する。以下、図１〜図１７の例と共通する部材には同一の符号を付して以下説明する。前記貯水ポンプ１１から貯水タンク９への送水経路２６の途中に貯水タンク９の着脱に伴い、シールパッキン１４１を介した突合せにて送水経路２６の接続、接続解除を行う接続部２０を設け、この接続部２０の下流側に貯水タンク９へ送られてくる除湿水を一旦受け入れて貯水タンク９内へ出す中継部１０を設けてある。
【００６２】
このように、貯水ポンプ１１から貯水タンク９への送水経路２６の途中に貯水タンク９の着脱に伴い送水経路２６の接続、接続解除を行う接続部２０を設けているので、貯水タンク９の着脱が強制送水の邪魔にならず簡単に行えるし、この接続部２０がシールパッキン１４１を介した突合せにて行うものであることにより、貯水タンク９の重みやばね付勢などによる十分な突合せ圧を確保しやすく、中継部１０は本体１２側から送水されてくる除湿水を受け入れて、溜めることなくそのまま貯水タンク９に送り込んでも、強制送水による送水圧が原因した漏水が接続部にて生じるのを防止することができる。また、接続に密な嵌め合わせがないので貯水タンク９の装着位置の誤差が影響しにくい。従って、貯水タンク９の装着時位置規制を先の例よりも甘くしても問題はなく、その分コストの低減が図れる。
【００６３】
図１８に示す例では、接続部２０は本体１２の前記一部上面１２ａと、貯水タンク９に一体に設けた中継室１１５内に格納された中継部１０の貯水タンク９からの張り出し部１０ａとの上下方向の対向部間で形成していて、貯水タンク９を本体１に上方から装着したときに、中継部１０の張り出し部１０ａを持った下流側経路２６ｂの下向きに開口した流入口１０ｅと、前記一部上面１２ａに形成された上流側経路２６ａの拡径した上端開口部２６ａ１に遊びを持って図示するように嵌まり合った状態で、流入口１０ｅのやや下流側に形成したフランジ１０ｆを利用して装着したシールパッキン１４１が前記上端開口部２６ａ１に圧着することにより接続状態となる。
【００６４】
図１９に示す例では、接続部２０は本体１２の前記一部上面１２ａと、貯水タンク９に一体に設けた中継室１１５内に格納された中継部１０の貯水タンク９からの張り出し部１０ａとの上下方向の対向部間で形成していて、貯水タンク９を本体１２に上方から装着したときに、中継部１０の張り出し部１０ａを持った下流側経路２６ｂにおいて、その流入口１０ｅが下向きに開口した受圧ヘッド１０ｇと、前記一部上面１２ａに突出した上流側経路２６ａの上端部２６ａ２に装着されているシールパッキン１４１とが圧着することにより接続状態となる。
【００６５】
これら図１８の例、図１９の例における接続部２０での圧着力は大きくしても、先の雌雄嵌め合わせの例、のように接続を困難にするようなことがない。従って、貯水タンク９を浮き上がらせなければよい。これを満足するのに、そのような浮きを防止する係止機構を設けてもよいことから、圧着力に制限はない。このため、シール性が高く中継部１０は本体１２側から貯水タンク９側に除湿水を送水するだけでよいものとなる。従って、図示する場合、必要な経路形態を取るために複数の部材を繋ぎ合わせたものとしてあるだけで、通路断面積は特に変わっていない。
【００６６】
なお、図１９に示す例では、さらに、中継室１１５の中央部に貯水タンク９の排出口１５１を設け、この排出口１５１に取っ手１１６と同軸１１７により互いに連動する蓋１５２設けてある。これにより、取っ手１１６を起こすと蓋１５２が開き、貯水タンク９を取っ手１１６によって持ち運び排水するとき、蓋１５２が既に開いているので、そのまま排水できる。貯水タンク９を本体１２に装着して使用する状態では取っ手１１６は格納状態とされるので、蓋１５２は閉じられ開いたまま使用されるのを防止することができる。蓋１５２が開いていると貯水が加湿源になる可能性があり好ましくない。また、埃や細菌が混入して繁殖したり腐敗の原因になる。そこで、取っ手１１６を格納側に蓋１５２を閉じ側にばねで付勢しておくのが好適である。また、蓋１５２と排出口１５１との間はシールパッキン１５３によってシールするのが好適である。中継部１０は排出口１５１を避けた経路で設けて互いが邪魔し合わないようになっている。
【００６７】
【発明の効果】
本発明に係る除湿機の１つの特徴によれば、本体側に備えた、吸湿材、除湿ファン、再生ヒータ、再生ファン、熱交換器の組み合わせにより、室内空気を吸湿材にて除湿することを繰り返しながら、室内空気から吸湿して除湿を繰り返す吸湿材につき加熱した空気を通すことによって除湿水を奪い再生を図って前記室内空気に対する吸湿機能を保証しつつ、吸湿材から除湿水を奪った吸湿空気から熱交換器との熱交換によって除湿水を分離することを継続して、圧縮機を用いるタイプのものよりも小型かつ軽量なものにて除湿機能を満足することができる。また、吸湿材を再生した後の吸湿空気から分離した除湿水は、同じく本体側に備えた水受けで受けることにより広域に拡がらせないで貯水ポンプによる貯水タンクへの送り込みと貯水に供して、本体の必要スペースを最小限に抑えて満杯回避により長時間の除湿を可能としながら、分離した除湿水が蒸発、逸散して室内を却って加湿してしまうような不都合を防止することができる。
【００６８】
また、貯水タンクは本体の上部にあって、前記のように水受けに集められる除湿水の送り込みを受けて貯水し、これが外観され得るので、ユーザーによって除湿が実感され、評価されやすくする。同時に、貯水タンクに関し排水したり、洗浄などの手入れをしたりするのに、貯水タンクが本体外の上部に位置しているので簡単に取り外して対応することができる。
【００６９】
特に、貯水ポンプから貯水タンクへの送水経路の途中に設けられた中継部は、貯水タンクへ送られてくる除湿水を一旦受け入れて溜めながら出す広さを有することから、ここで、送水経路を通じた強制送水の圧力を開放ないしは低減させるので、送水経路が長く送水圧が高くても接続部などから漏水するのを防止することができる。
【００７０】
本発明に係る除湿機の他の特徴によれば、本体側に備えた、吸湿材、除湿ファン、再生ヒータ、再生ファン、熱交換器の組み合わせにより、室内空気を吸湿材にて除湿することを繰り返しながら、室内空気から吸湿して除湿を繰り返す吸湿材につき加熱した空気を通すことによって除湿水を奪い再生を図って前記室内空気に対する吸湿機能を保証しつつ、吸湿材から除湿水を奪った吸湿空気から熱交換器との熱交換によって除湿水を分離することを継続して、圧縮機を用いるタイプのものよりも小型かつ軽量なものにて除湿機能を満足することができる。また、吸湿材を再生した後の吸湿空気から分離した除湿水は、同じく本体側に備えた水受けで受けることにより広域に拡がらせないで貯水ポンプによる貯水タンクへの送り込みと貯水に供して、本体の必要スペースを最小限に抑えて満杯回避により長時間の除湿を可能としながら、分離した除湿水が蒸発、逸散して室内を却って加湿してしまうような不都合を防止することができる。
【００７１】
また、貯水タンクは本体の上部にあって、前記のように水受けに集められる除湿水の送り込みを受けて貯水し、これが外観され得るので、ユーザーによって除湿が実感され、評価されやすくする。同時に、貯水タンクに関し排水したり、洗浄などの手入れをしたりするのに、貯水タンクが本体外の上部に位置しているので簡単に取り外して対応することができる。
【００７２】
特に、貯水ポンプから貯水タンクへの送水経路の途中に貯水タンクの着脱に伴い、送水経路の接続、接続解除を行う接続部を設けているので、貯水タンクの着脱が強制送水の邪魔にならず簡単に行えるし、この接続部の下流側に中継部があって貯水タンクへ送られてくる除湿水を一旦受け入れて溜めながら出す広さを有することから、ここで、送水経路を通じた強制送水の圧力を開放ないしは軽減させるので、送水経路が長く送水圧が高くても、前記貯水タンクの着脱に伴い接続、接続解除を行う接続部に対しては、そこに達する除湿水の圧力を予め開放または低減しているため漏水するのを防止することができる。
【００７３】
接続部が、上流側経路と下流側経路とのシールパッキンを介した雌雄嵌まり合い部である、さらなる構成によれば、
シールパッキンを介した雌雄嵌まり合い部は、その軸線方向を貯水タンクの着脱方向と一致させ、または平行とすることにより、貯水タンクの着脱に伴って自動的に接続、接続解除となるので、手間がかからず使用に便利である。また、貯水タンクの装着度合に多少があっても、雌雄嵌まり合い部の嵌まり合い代を大きくしておけば接続不足になるようなことを回避することができる。
【００７４】
貯水タンクは本体に対し上方から装着し、中継部は貯水タンクに設け、接続部は、中継部の貯水タンクからの張り出し部と、本体の上面との、上下方向の対向部間に設けられている、さらなる構成によれば、
貯水タンクを上方から本体上に装着したり取り外したりできるので、作業がしやすい上に、この着脱によって、貯水タンクに設けた中継部の張り出し部と、本体の上面との上下方向の対向部間に設けた接続部の離接を図って、接続、接続解除を自動的に行えるので、さらに使用しやすく便利である。また、接続状態の接続部は中継部の張り出し部と、本体の上面との上下方向の対向部間にあって外力を受けにくく、貯水タンクの装着状態で接続を損なわれるようなことがない。
【００７５】
中継部が上部に通気部を有している、さらなる構成によれば、
中継部が一旦受け入れた除湿水を溜めながら出すのに、上部の通気部から吸気することによって溜めている除湿水を自然流下させられるので、それ以降の送水経路を配慮するだけで送水圧なしに貯水タンクなどへ送り込める。
【００７６】
中継部が貯水タンクへ送られてくる除湿水を受け入れる流入口または送水口の開口径よりも、貯水タンクへの出口の開口径の方が大きい、さらなる構成によれば、
出口の開口径が流入口または送水口の開口径よりも大きい分だけ、給水タンクへの自然流下を促進して、中継部の除湿水が増量して満杯となりかえって昇圧し漏水の原因となるようなことを防止することができる。
【００７７】
本発明に係る除湿機の今１つの特徴によれば、本体側に備えた、吸湿材、除湿ファン、再生ヒータ、再生ファン、熱交換器の組み合わせにより、室内空気を吸湿材にて除湿することを繰り返しながら、室内空気から吸湿して除湿を繰り返す吸湿材につき加熱した空気を通すことによって除湿水を奪い再生を図って前記室内空気に対する吸湿機能を保証しつつ、吸湿材から除湿水を奪った吸湿空気から熱交換器との熱交換によって除湿水を分離することを継続して、圧縮機を用いるタイプのものよりも小型かつ軽量なものにて除湿機能を満足することができる。また、吸湿材を再生した後の吸湿空気から分離した除湿水は、同じく本体側に備えた水受けで受けることにより広域に拡がらせないで貯水ポンプによる貯水タンクへの送り込みと貯水に供して、本体の必要スペースを最小限に抑えて満杯回避により長時間の除湿を可能としながら、分離した除湿水が蒸発、逸散して室内を却って加湿してしまうような不都合を防止することができる。
【００７８】
また、貯水タンクは本体の上部にあって、前記のように水受けに集められる除湿水の送り込みを受けて貯水し、これが外観され得るので、ユーザーによって除湿が実感され、評価されやすくする。同時に、貯水タンクに関し排水したり、洗浄などの手入れをしたりするのに、貯水タンクが本体外の上部に位置しているので簡単に取り外して対応することができる。
【００７９】
特に、貯水ポンプから貯水タンクへの送水経路の途中に貯水タンクの着脱に伴い送水経路の接続、接続解除を行う接続部を設けているので、貯水タンクの着脱が強制送水の邪魔にならず簡単に行えるし、この接続部がシールパッキンを介した突合せにて行うものであることにより、貯水タンクの重みやばね付勢などによる十分な突合せ圧を確保しやすく、中継部は本体側から送水されてくる除湿水を受け入れて、溜めることなくそのまま給水タンクに送り込んでも、強制送水による送水圧が原因した漏水が接続部にて生じるのを防止することができる。また、接続に嵌め合わせがないので貯水タンクの装着位置の誤差が影響しにくい。
【００８０】
中継部を、貯水タンクの上部に設けた中継室内に設けてある、さらなる構成によれば、中継部が本体側から送水される除湿水を本体の上部に装着した貯水タンクに導く送水経路を構成するのに、貯水タンクの取り扱いによって引っ掛かったり、他と緩衝して外力を受けたりするようなことから保護できるし、そのような送水経路のディテール部分が外観されないし、汚れにくい利点がある。
【図面の簡単な説明】
【図１】本発明に係る除湿機の実施例の構成を示す縦断面図である。
【図２】図１の除湿機の横断面図である。
【図３】図１の除湿機の正面図である。
【図４】図１の除湿機の背面図である。
【図５】図１の除湿機の上面図である。
【図６】図１の除湿機の下面図である。
【図７】図１の除湿機の本体の斜視図である。
【図８】図１の除湿機の貯水タンクの斜視図である。
【図９】図１の除湿機の貯水タンクの角度を変えて見た斜視図である。
【図１０】図１の除湿機の貯水タンクの中継室および取っ手を取り外して見た斜視図である。
【図１１】図１の除湿機の吸湿材を持った仕切り壁の背面図である。
【図１２】図１の除湿機の水受けの断面図である。
【図１３】図１２の水受けの平面図である。
【図１４】図１の除湿機の熱交換器と再生ファンとの連絡路部の断面図である。
【図１５】図１の除湿機の除湿ファンを持った仕切り壁の背面図である。
【図１６】図１の除湿機の操作面部の断面図である。
【図１７】図１の除湿機の主要部を示す断面図である。
【図１８】本発明に係る除湿機の他の例を示す主要部の断面図である。
【図１９】本発明に係る除湿機の別の例を示す主要部の断面図である。
【符号の説明】
１  吸湿材
２  室内空気
３  除湿ファン
４  再生空気
４ａ  吸湿空気
５  再生ヒータ
６  再生ファン
７  熱交換器
８  水受け
９  貯水タンク
１０  中継部
１１  貯水ポンプ
１２  本体
２０  接続部
２６  送水経路
３０、１４１  シールパッキン
【図１】
2004278952.tif 000003
【図２】
2004278952.tif 000004
【図３】
2004278952.tif 000005
【図４】
2004278952.tif 000006
【図５】
2004278952.tif 000007
【図６】
2004278952.tif 000008
【図７】
2004278952.tif 000009
【図８】
2004278952.tif 000010
【図９】
2004278952.tif 000011
【図１０】
2004278952.tif 000012
【図１１】
2004278952.tif 000013
【図１２】
2004278952.tif 000014
【図１３】
2004278952.tif 000015
【図１４】
2004278952.tif 000016
【図１５】
2004278952.tif 000017
【図１６】
2004278952.tif 000018
【図１７】
2004278952.tif 000019
【図１８】
2004278952.tif 000020
【図１９】
2004278952.tif 000021